(57)【要約】【課題】  著しく能力が向上し、環境汚染を起こさない銃砲用軸状散弾を提供する。【解決手段】  軸状弾（１）の弾底部に交差角度をつけた安定板（４）を設けることにより、銃砲より発射された軸状弾の飛行の安定をおこなうと同時に、従来使用できなかった原材料を使用することが可能となり、そして軸状弾を多数使用することにより、従来の散弾より著しく能力を向上させ、破壊力の増加と射程距離の延長を可能とし、環境汚染を防止できる銃砲用軸状散弾。【選択図】図１
2007170794.tif 000002
【特許請求の範囲】
【請求項１】
軸状に形成された弾の弾底部に、発射されてのちの飛行中の対気流を受け、回転力と安定力を受ける交差角度をつけた安定板を設けた構成よりなり、その軸状弾が散弾使用に耐えられる硬質性を有する物質をすべて原材料とすることを可能とすることを特徴とする銃砲用軸状散弾。
【発明の詳細な説明】
【技術分野】
【０００１】  本発明は、軸状に形成された弾に安定板をつけた、銃砲用軸状散弾の１個単体の弾で、これを単数あるいは、複数を筒状ケースに入れて、それを薬莢に装填して使用する銃砲用軸状散弾に関するものである。
【背景技術】
【０００２】  従来の銃砲用散弾は、鉛、銅、もしくは、鋼の球状弾であり、球体ゆえ、進行方向に対する正面面積による対気面積抵抗や、球体の後方にできる乱流で、著しく射程距離及び破壊能力を低下させた。
また、鉛球状弾は、その使用により深刻な環境汚染を引き起こした。
【発明の開示】
【発明が解決しようとする課題】
【０００３】  そのためには、次のような問題があった。
（イ）鉛球状弾は、鉛の使用により深刻な環境汚染の原因となった。
そして、球体であるがゆえに、直径を大きくすると対気面積に対する抵抗も増大し、さらに球体の後方乱流も増大するため、鉛本来の重量を生かした運動エネルギーによる破壊力と射程距離の長さなどに十分いかされていなかった。
（ロ）銅球状弾は、高価でしかも鉛より軽いため、運動エネルギーを保存しにくく、破壊力と射程距離という能力に対し十分発揮できなかった。
（ハ）鋼球状弾は、銅より軽いため、さらに運動エネルギーを保存しにくく、著しく破壊力と射程距離の能力を低下させた。
また、鋼球状弾を重くするために合金にすると、銅より高価になってしまうため実用には不向きであった。
本発明は、これらの問題を解決するためになされたものである。
【課題を解決するための手段】
【０００４】  軸状に形成された弾の弾底部に、発射されてのちの飛行中の対気流を受け、回転力と安定力を受ける交差角度をつけた安定板を設けた構成よりなり、軸状弾が散弾使用に耐えられる硬質性を有する物質すべてを原材料とすることを可能とすることを特徴とする銃砲用軸状散弾である。
【発明の効果】
【０００５】  本発明は、軸状弾の直径の増減、軸状弾の軸状弾弾頭部先端より安定板最後尾までの全長の伸張、または、それら直径と全長との対比率を増減させることにより、球状弾とはちがい、破壊力の増減や射程距離の増減が可能である。
なぜならば、球状弾が直径を大きくしても抵抗も同時に増大するのに対し、軸状弾の方は、球状弾と同じ直径でも全長を長くするだけで正面の対気面積に対する抵抗のみが球状弾と同じで、運動エネルギーは全長に比例して大きくなるため、破壊力や射程距離は、大きく長くなる。
また、軸状弾の後方乱流は、安定板により一定な空気流に形成され、軸状弾の飛行に安定と回転を生じさせる。
また、本発明は、銃砲より発射されて飛行中に本発明軸状弾の形状を維持することの可能なすべての物質を原材料とすることが可能であるので、環境汚染の原因になる物質金属以外のものを使用できるようになる。【０００６】  実例１を説明する。
従来の球状弾では、軟鉄の使用は、効率的に問題が多く、運動エネルギーの小ささから破壊力、射程距離など著しく能力が低く、まったく使用されなかった。
しかし、本発明図１８の形状を使用し、直径と全長の比率を１対５にすると重量は、球状弾の４倍近くなるため、運動エネルギーは十分保存される。
これでも不足な場合は、比率を１対６、１対７と変えることにより運動エネルギーも増加する。【０００７】  実例２を説明する。
従来、散弾に使用されなかったアクリル樹脂、ＡＢＳ樹脂等プラスチックやガラスなど原材料を選ばず、使用目的もカプセル状にし、中に薬品を入れ使用するなど使用目的の幅が広がる。
従来の散弾では、不可能なだけではなく、ライフル銃でも不可能で、これは、ライフル弾が発射火薬の熱、銃身との摩擦、大気との摩擦などで高温になるため、薬品が変質してしまうが、散弾の場合、筒状ケースの中なので問題にならない。図１６、図１７（ａ）参照。
【発明を実施するための最良の形態】
【０００８】  以下、本発明の実施の形態を説明する。
（イ）軸状弾（１）は、円柱形をなしている。図１、図５（ａ）、図５（ｂ）参照。
（ロ）軸状弾弾頭部（２）は、飛行方向となる中心線方向に対し、直交平面をなしている。図１、図５（ａ）、図５（ｄ）参照。
（ハ）軸状弾弾底部（３）は、圧延してその圧延した部位の中心線より切り、２枚に分かれた板を中心線より等分に角度をつけこの板を安定板（４）とする。図１、図５（ａ）、図５（ｃ）、図５（ｄ）参照。
（ニ）軸状弾（１）の直径、軸状弾（１）の全長、あるいは軸状弾（１）の直径と全長の比率、これらを変えることにより銃砲用軸状散弾の射程距離を増減させたり、破壊力を増減させたり運動エネルギーの変化で変えることができる。
（ホ）軸状弾（１）は、銃砲より発射されて、飛行中にその構成形状を維持し、使用に耐えられる硬質を有する物質、金属のみならずプラスチックやガラス、石、セメント、木材、薬品でも軸状弾（１）の原材料として使用することが可能である。
本発明は、以上の構成からなるので本発明を使用するときは、従来使用していた銃砲や薬莢を改造することなく使用することが可能である。図３、図４参照。
図３、図４の筒状ケースと軸状弾（１）のあいだには、図示において隙間が存在するが、実際には、プラスチック粒などにより充填されている（図示せず）。
【実施例１】
【０００９】図１直交平面軸状弾弾頭部弾は、標的、土、水面に関係なく弾が物にぶつかったとき、起こす反射、跳弾を最も防ぐ形態で、飛行も安定する。
また、生産性も良く大量生産にむいている。
【実施例２】
【００１０】また、図６鋭角型弾頭部（５）弾においては、頭部がするどく標的の深部に深く達することを目的とする。
この型式に全長を伸張をさせた場合、より深くまで達する。
ただし、跳弾しやすくなる。
【実施例３】
【００１１】  また、鈍角型弾頭部（６）は、直交平面弾頭部弾と鋭角型弾頭部弾を合わせた性能を持つ型である。図８、図９（ａ）参照
【実施例４】
【００１２】  また、複合型弾頭部（７）は、跳弾を防ぎ標的の深部に深くささり、かつ飛行の安定を目的とした型式である。図１０、図１１（ａ）、参照
【実施例５】
【００１３】  また、安定板（４）を、螺旋状安定板（８）とした場合は、中央から切り分けないぶん生産性が良く、かつ軸状弾（１）を発射したときの衝撃には、軸状弾（１）の中心線にそって螺旋で補強された形（図１３（ａ）、（ｄ）参照）なので強い。
また、対気面積が一番広い安定板なので、回転力と安定力は、得やすい。図１３（ｂ）参照
【実施例６】
【００１４】  また、安定板（４）を、据折状安定板（９）とした場合は、生産性もよく発射時の耐衝撃性もよい（図１５（ａ）参照）。
【実施例７】
【００１５】  また、安定板（４）を溶接、鑞付けする方法。図１６参照
この方法では、安定板（４）のみならず螺旋状安定板（８）や裾折状安定板（９）もつけることができ、プラスチックなどを材料に選んだときに最適である。
また、軸状弾の容積が最も大きくとれる。図１７（ａ）参照
【実施例８】
【００１６】  また、安定板（４）を三角翼状安定板（１０）とした場合、生産性もよく発射時の耐衝撃性もよい。図１９（ａ）参照
また軸状弾を小玉として筒状ケースに入れて散弾として使用した場合、直交平面弾頭部（図１）と組合わせると収まりがよく、最も効率のよい形式となる。図１９（ｂ）参照
【図面の簡単な説明】
【００１７】
【図１】本発明の一実施例を示す斜視図
【図２】本発明の一実施例を示す断面図
【図３】本発明軸状弾単装填一部分切開の斜視想像図
【図４】本発明軸状弾複数装填一部分切開の斜視想像図
【図５】本発明の実施例１の前面、上面、下面、右面の四面図（ａ）は、本発明直交平面弾頭軸状弾の前面図（ｂ）は、本発明直交平面弾頭軸状弾の上面図（ｃ）は、本発明直交平面弾頭軸状弾の下面図（ｄ）は、本発明直交平面弾頭軸状弾の右面図
【図６】本発明の実施例２の鋭角型弾頭軸状弾の斜視図
【図７】本発明の実施例２の鋭角型弾頭軸状弾の四面図（ａ）は、本発明鋭角型弾頭軸状弾の前面図（ｂ）は、本発明鋭角型弾頭軸状弾の上面図（ｃ）は、本発明鋭角型弾頭軸状弾の下面図（ｄ）は、本発明鋭角型弾頭軸状弾の右面図
【図８】本発明の実施例３の鈍角型弾頭軸状弾の斜視図
【図９】本発明の実施例３の鈍角型弾頭軸状弾の四面図（ａ）は、本発明鈍角型弾頭軸状弾の前面図（ｂ）は、本発明鈍角型弾頭軸状弾の上面図（ｃ）は、本発明鈍角型弾頭軸状弾の下面図（ｄ）は、本発明鈍角型弾頭軸状弾の右面図
【図１０】本発明の実施例４の複合型弾頭軸状弾の斜視図
【図１１】本発明の実施例４の複合型弾頭軸状弾の四面図（ａ）は、本発明複合型弾頭軸状弾の前面図（ｂ）は、本発明複合型弾頭軸状弾の上面図（ｃ）は、本発明複合型弾頭軸状弾の下面図（ｄ）は、本発明複合型弾頭軸状弾の右面図
【図１２】本発明の実施例５の螺旋状安定板軸状弾の斜視図
【図１３】本発明の実施例５の螺旋状安定板軸状弾の四面図（ａ）は、本発明螺旋状安定板軸状弾の前面図（ｂ）は、本発明螺旋状安定板軸状弾の上面図（ｃ）は、本発明螺旋状安定板軸状弾の下面図（ｄ）は、本発明螺旋状安定板軸状弾の右面図
【図１４】本発明の実施例６の裾折状安定板軸状弾の斜視図
【図１５】本発明の実施例６の裾折状安定板軸状弾の四面図（ａ）は、本発明裾折状安定板軸状弾の前面図（ｂ）は、本発明裾折状安定板軸状弾の上面図（ｃ）は、本発明裾折状安定板軸状弾の下面図（ｄ）は、本発明裾折状安定板軸状弾の右面図
【図１６】本発明の実施例７の安定板の溶接、鑞付けによる軸状弾の斜視図
【図１７】本発明の実施例７の安定板の溶接、鑞付けによる軸状弾の四面図（ａ）は、本発明安定板溶接、鑞付けによる軸状弾の前面図（ｂ）は、本発明安定板溶接、鑞付けによる軸状弾の上面図（ｃ）は、本発明安定板溶接、鑞付けによる軸状弾の下面図（ｄ）は、本発明安定板溶接、鑞付けによる軸状弾の右面図
【図１８】本発明の実施例８の三角翼状安定板軸状弾の斜視図
【図１９】本発明の実施例８の三角翼状安定板軸状弾の四面図（ａ）は、本発明三角翼状安定板軸状弾の前面図（ｂ）は、本発明三角翼状安定板軸状弾の上面図（ｃ）は、本発明三角翼状安定板軸状弾の下面図（ｄ）は、本発明三角翼状安定板軸状弾の右面図
【符号の説明】
【００１８】１  軸状弾
２  軸状弾弾頭部
３  軸状弾弾底部
４  安定板
５  鋭角型弾頭部
６  鈍角型弾頭部
７  複合型弾頭部
８  螺旋状安定板
９  裾折状安定板
１０  三角翼状安定板
１１  火薬
１２  薬莢
１３  筒状ケース
１４  中ぶた
【図１】
2007170794.tif 000003
【図２】
2007170794.tif 000004
【図３】
2007170794.tif 000005
【図４】
2007170794.tif 000006
【図５】
2007170794.tif 000007
【図６】
2007170794.tif 000008
【図７】
2007170794.tif 000009
【図８】
2007170794.tif 000010
【図９】
2007170794.tif 000011
【図１０】
2007170794.tif 000012
【図１１】
2007170794.tif 000013
【図１２】
2007170794.tif 000014
【図１３】
2007170794.tif 000015
【図１４】
2007170794.tif 000016
【図１５】
2007170794.tif 000017
【図１６】
2007170794.tif 000018
【図１７】
2007170794.tif 000019
【図１８】
2007170794.tif 000020
【図１９】
2007170794.tif 000021